【事件の表示】
　特許第２８００６２５号「照明装置」の特許に対する特許異議の申立てについて、次のとおり決定する。
【結論】
　訂正を認める。
　特許第２８００６２５号の特許を維持する。
【理由】
（１）手続きの経緯
　　本件特許第２８００６２５号発明は、平成５年４月６日の出願であって、平成１０年７月１０日にその発明の特許がなされ、その後、生川　佳子より特許異議の申立てがなされ、取消理由通知がなされ、その指定期間内である平成１１年８月２５日に訂正請求がなされたものである。
（２）訂正の適否についての判断
▲１▼特許請求の範囲の訂正
ア．訂正明細書の請求項１に係る発明
　訂正明細書の請求項１に係る発明は、特許請求の範囲に特定された、次のとおりのものである。
「【請求項１】被照明体を照明し、該被照明体の前面に配置された照明装置であり、前記照明装置は、透明な導光体と、該導光体の端面側に配置された光源とを有し、前記導光体の一方の面には、出光側平面、前記出光側平面と平行方向の面、及び前記出光側平面と垂直方向の面とにより形成された凹凸形状を設け、前記光源からの光線は、前記導光体の中を伝搬するとともに、前記凹凸形状の部分から射出して、前記被照明体を照明し、反射され該導光体を透過して射出されることを特徴とする照明装置。」
▲２▼訂正の目的の適否及び拡張・変更の存否等
　上記訂正▲１▼は、訂正前明細書の請求項１に記載された発明を、技術的に限定して、請求項１としたものであり、特許請求の範囲の減縮に該当し、願書に添付した明細書又は図面に記載された事項の範囲内のものであり、実質的に特許請求の範囲を拡張又は変更するものではなく、新規事項の追加もない。
▲３▼独立特許要件の判断
（引用刊行物に記載された発明）
訂正前明細書の請求項１に係る発明に対して、当審が通知した取消理由で引用した特開昭５６−１１１８８２号公報（以下、「第１引用例」という。）には、「以下本考案表示装置の詳細を第７図以下に図示した実施例に基づいて説明する。図中１は表示板であり、文字、記号等の表示体２、２、……が光透過状に形成されている。該表示体２、２、……の形成手段は任意であり、本実施例において表示板１は、透明な樹脂基板３に表示体２、２、……となる部分を残して遮光膜４を付与して成る。５は透明なアクリル樹脂から成る導光体であり、表示板１の裏面側に配置されており、その表示板１に対向した表面６の表示体２、２、……に対応した箇所に夫々円錐形の凸部７、７、……が一体に形成されている。８は光源たる白熱電球であり、導光体５の受光端面たる一方の側端面９に対置されている。」（第３頁右上欄第１０行乃至左下欄第３行）、「而して上記の如き本発明表示装置においては光源８から出射した光は受光端面９から導光体５内に入射して直接に、あるいは何回かの内面反射をした後に、各凸部７、７、……に到達し、該凸部７、７、……から出射して表示体２、２、……を光輝させることになる。」（第３頁左下欄第１１行乃至第１６行）、「尚、凸部７、７、……の形状等に関し以下に若干説明を補足する。先ず、凸部７、７、……の形状は導光体５内を進行してきた光が該凸部７、７、……から表示板１側へ出射しうるようなものであれば良く、形状は原則として任意である。例えば前記円錐形の他にその頭部を切り取った円錐台形、四角、六角等の角錐形、角錐の頭部を切り取った角錐台形としても良く、又、光の進行方向に直交する方向へ延びる堤状、例えば、断面三角形、半円形、台形などの堤状、あるいはこれを適宜分割した形状等種々の形状が考えられる（第１１、第１６、第１７、第１８図）。」（第３頁右下欄第１６行乃至第４頁左上欄第８行）、及び「但し、ここにいうｒの範囲は導光体５内を進行してきた光が全て凸部７から出射しうるようにするための条件に過ぎず、ｒを必ずしもこの範囲内に収めなければならないというものではない。」（第５頁左上欄第７行乃至第１０行）との記載があり、結局、表示体２を光輝し、該表示体２の裏面に配置された照明装置であり、前記照明装置は、透明な導光体５と、該導光体５の側端面９側に配置された白熱電球８とを有し、前記導光体５の一方の面には、表面６、前記表面６と台形の上辺１４の面、及び前記表面６と垂直方向の面とにより形成された凸部７を設け、前記白熱電球８からの光線は、前記導光体５の中を伝搬するとともに、前記凸部７の部分から射出して、前記表示体２を透過・光輝して射出されることを特徴とする照明装置、が記載されている。
　同じく引用した特開昭５７−１４４５８１号公報（以下、「第２引用例」という。）には、「前記前面板の前と前記背面板の後とにはそれぞれ偏光板が設けられ、前記光導体は前記前面側の直線偏光板と前記前面板との間に配置され」（第２頁左上欄第１１行乃至第１４行）、「図面には、前面側の直線偏光板１と、光導体２と、前面側の支持板（前面板）３と、背面側の支持板（背面板）４と、前面側の直線偏光板と交差する背面側の直線偏光板６と、散乱反射体７とを備えた液晶ディスプレイが示されている。偏光板１は光導体２の上に置かれ、この光導体２は前面板３上に固定されている。」（第４頁左上欄第１８行乃至右上欄第５行）、及び「ランプ光源１８から放出された光線が光導体内においてどのような光路を取るかを直観的にわからせるために、任意に選ばれた２本の光線１９、２１の経過が記されている。入射角α、すなわち光線がそれぞれ鏡界面の法線とで作るその角度は、その光線が最後に反射体のところに出るまで、反射を繰り返すうちに小さくされる。その光線はその反射体のところで反射され、そしてその後最終的にディスプレイから出て行く。」（第４頁左下欄第１４行乃至右下欄第３行）との記載があり、結局、液晶ディスプレイを照明し、該液晶ディスプレイの前面に配置された照明装置であり、前記照明装置は、透明な光導体２と、該光導体２の端面側に配置されたランプ光源１８とを有し、前記ランプ光源１８からの光線は、前記光導体２の中を伝搬するとともに射出して、前記液晶ディスプレイを照明し、反射され該光導体２を透過して射出されることを特徴とする照明装置が記載されている。
（請求項１に係る発明についての対比・判断）
　本件請求項１に係る発明と第１引用例に記載の発明とを対比すると、本件請求項１に係る発明の「導光体」、「端面」、「光源」、「出光側平面」、「平行方向」、「凹凸形状」は、それぞれ第１引用例記載の発明の「導光体５」、「側端面９」、「白熱電球８」、「表面６」、「台形の上辺１４」、「凸部７」に相当するから、両者は、板状体に光を当て、該板状体の一方の面に配置された照明装置であり、前記照明装置は、透明な導光体と、該導光体の端面側に配置された光源とを有し、前記導光体の一方の面には、出光側平面、前記出光側平面と平行方向の面、及び前記出力側平面と垂直方向の面とにより形成された凹凸形状を設け、前記光源からの光線は、前記導光体の中を伝搬するとともに、前記凹凸形状の部分から射出して、前記板状体に当たって射出されることを特徴とする照明装置、で一致し、
Ａ板状体が、本件請求項１に係る発明は、被照明体であるのに対して、第１引用例に記載の発明は、表示体２である点、
Ｂ板状体に当たる光が、本件請求項１に係る発明は、被照明体を照明するものであるのに対して、第１引用例に記載の発明は、表示体２を透過・光輝する点、
Ｃ本件請求項１に係る発明は、被照明体を照明し、反射され該導光体を透過して射出されるのに対して、第１引用例に記載の発明は、透過・光輝して射出される点、
Ｄ板状体が、本件請求項１に係る発明は、照明装置の前面に配置されるのに対して、第１引用例に記載の発明は、照明装置の裏面に配置される点で相違する。
　本件請求項１に係る発明と第２引用例に記載の発明とを対比すると、本件請求項１に係る発明の「被照明体」、「導光体」、「光源」は、それぞれ第２引用例記載の発明の「液晶ディスプレイ」、「光導体２」、「ランプ光源１８」に相当するから、両者は、被照明体を照明し、該被照明体の前面に配置された照明装置であり、前記照明装置は、透明な導光体と、該導光体の端面側に配置された光源とを有し、前記光源からの光線は、前記導光体の中を伝搬するとともに射出して、前記被照明体を照明し、反射され該導光体を透過して射出されることを特徴とする照明装置、で一致し、
Ｅ本件請求項１に係る発明は、前記導光体の一方の面には、出光側平面、前記出光側平面と平行方向の面、及び前記出力側平面と垂直方向の面とにより形成された凹凸形状を設けるのに対して、第２引用例に記載の発明は、そのような記載が無い点、
Ｆ本件請求項１に係る発明は、光線が凹凸形状の部分から射出するのに対して、第２引用例に記載の発明は、そのような記載が無い点で相違する。
　そこで、第１引用例に記載された発明と第２引用例に記載された発明とから、本件請求項１に係る発明を推考することが当業者にとって容易であるか否かを検討すると、第１引用例に記載された発明は、表示体２を透過・光輝して射出される、すなわち、遮光膜４の残余部分である表示体２、２、……を透過した光が、表示体２、２、……の形状通りに光り輝いていることが観察者に見えるものであり、表示体２は、文字通り表示するためのものであり、被照明体であるとは認め難い。
　一方、第２引用例に記載された発明は、液晶ディスプレイを照明し、反射され該光導体２を透過して射出される、すなわち、液晶ディスプレイを照明し、散乱反射体７で反射され、光導体２を透過して射出された光が観察者に見えるものである。
　してみれば、両引用例に記載の発明は、作用及び機能が異なるというべきものであり、また、いずれの引用例にも、点灯時、非点灯時ともに被照明体のコントラストが高く視認性を高くするとの課題が記載されていないから、当業者といえども、両引用例に記載の発明に基づいて本件請求項１に係る発明を推考することは困難である。
　したがって、本件請求項１に係る発明は特許出願の際独立して特許を受けることができない発明とすることはできない。
▲４▼むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　　申立人生川　佳子は、証拠として甲第１号証（特開昭５６−１１１８８２号公報、上記第１引用例に同じ）、及び甲第２号証（特開昭５７−１４４５８１号公報、上記第２引用例に同じ）を提出し、訂正前の請求項１に記載された発明は、特許法第２９条第２項の規定に違反してなされたものであるから、特許を取り消すべき旨主張している。
イ．判断
〔本件請求項１係る発明〕
　本件請求項１に係る発明は、上記（２）▲３▼で述べた通りである。
ウ．むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１０月１４日（１９９９．１０．１４）
【訂正の要旨】
訂正の要旨
特許請求の範囲の減縮を目的として、下記（１）のように特許請求の範囲を訂正する。
（１）特許請求の範囲第１項を次のとおり訂正する。
「【請求項１】被照明体を照明し、該被照明体の前面に配置された照明装置であり、前記照明装置は、透明な導光体と、該導光体の端面側に配置された光源とを有し、前記導光体の一方の面には、出光側平面、前記出光側平面と平行方向の面、及び前記出力側平面と垂直方向の面とにより形成された凹凸形状を設け、前記光源からの光線は、前記導光体の中を伝搬するとともに、前記凹凸形状の部分から射出して、前記被照明体を照明し、反射され該導光体を透過して射出されることを特徴とする照明装置。」
（５４）【発明の名称】
照明装置
（５７）【特許請求の範囲】
　　【請求項１】　被照明体を照明
し、該被昭明体の前面に配置された
　前記照明装置は、透明な導光体と、該導光体の端面側に配置された光源とを有し、
　前記導光体の一方の面には、出光側平面、前記出光側平面と平行方向の面、及び前記出光側平面と垂直方向の面とにより形成された凹凸形状を設け、
　前記光源からの光線は、前記導光体の中を伝搬するとともに、前記凹凸形状の部分から射出して、前記被照明体を照明し、
反射され
【発明の詳細な説明】
　　　【０００１】
　　【産業上の利用分野】
　本発明は、照明機能を有する液晶表示装置に関する。
　　　【０００２】
　　【従来の技術】
　従来、照明機能を有する液晶表示装置は図６（ａ）に示すように、液晶表示体２の背面に面状の照明装置１を配置し、通常は常時照明を点灯して使用していたか、あるいは図６（ｂ）に示すように液晶表示体２と照明装置１の間に半透過半反射のシート４を配置して、照明点灯、非点灯の両方で使用できるようにしていた。
　　　【０００３】
　　【発明の解決しようとする課題】
　しかし、かかる従来の照明機能を有する液晶表示装置は、常時照明を点灯して使用した場合、電力消費が大きい、半透過半反射のシートを使用した場合、照明装置点灯時、非点灯時ともに表示が暗く、コントラストが低いという問題点を有していた。
　　　【０００４】
　そこで、本発明は従来のこのような問題点を解決するため、照明装置を被照明体である、例えば液晶表示パネルの前面に配置することにより、照明装置の点灯時、非点灯時ともに被照明体のコントラストが高く視認性を高くすることが目的である。
　　　【０００５】
　　【課題を解決するための手段】
　前記課題を解決するために、本発明は、被照明体である液晶表示パネルの前面に配置される照明装置を提供するものである。
　　　【０００６】
　前記照明装置は、透明な導光体と、該導光体の端面側に配置された光源とを有し、前記導光体の一方の面には、出光側平面、前記出光側平面と平行方向の面、及び前記出光側平面と垂直方向の面とにより形成された凹凸形状を設け、前記光源からの光線は、前記導光体の中を伝搬するとともに、前記凹凸形状の部分から射出して、前記被照明体を照明し、該導光体を透過して射出されることを特徴とするものである。ここで、上記「出光側平面、前記出光側平面と平行方向の面、及び前記出光側平面と垂直方向の面とにより形成された凹凸形状」とは、出光側平面、出光側平面に対して略平行な面、及び出光側平面に対して略垂直な面とにより構成された凹凸形状をいい、この「略平行な面」とは、出光側平面に対して概ね平行な面を指し、「略垂直な面」とは、出光側平面に対して概ね垂直な面を指す。
　　　【０００７】
　　【実施例】
　以下に本発明の実施例を図面に基づいて説明する。図１において、照明装置１は液晶表示体２の前面に配置される。液晶表示体２の背面には反射板３を配置し、反射型液晶表示体を構成している。照明装置１は液晶表示体２側に光線を投射するとともに反射板３によって反射した光線をほとんど分散することなく、透過する機能を有する。これは外光が充分にあるときには照明装置１を消灯して使用すし、この場合、照明装置１は単なる透明板として作用して視認性を落とさず、表示品質に影響を与えないことに有効である。また外光が充分でない暗い所では点灯して使用した場合、照明装置１は液晶表示体２を照明し、反射板３による反射光は照明装置１が前述の消灯時と同様に単なる透明板として機能してそのまま透過するため高い視認性を保持するために有効である。
　　　【０００８】
　また照明装置を液晶表示体の背面に配置した透過型液晶表示装置は照明装置からの光線が液晶表示体を１回のみ透過して明部暗部のコントラストを発生しているのに対し、本発明のような照明装置を液晶表示体の前面に配置した反射型液晶表示装置は照明装置からの光線が１回液晶表示体を透過したのち反射板によって反射してもう１回透過するため、よりコントラストが高くなることにより高い視認性を得るために有効になっている。
　　　【０００９】
　以上のような照明装置を実現するために一実施例を図２（ａ）に示す。光源１２が導光体１１の少なくとも１つの端面に配置される。導光体１１は図２（ｂ）に示すように透明板の片面に光源２と概ね平行にリブ上の突起１３を設けており、突起１３の各面はすべて出光側平面１４に対して略平行な面と略垂直な面のみで構成される。導光体１１は屈折率１．４以上の透明材料で形成される。光源１２からの光線は光線１６ａや光線１６ｂに示すように端面１５から入射したのち、導光体１１の中で全反射を繰り返し突起１３の側面からのみ射出するため照明装置の背面からの出光を多くし、液晶表示体を照明することができる。
　　　【００１０】
　また、導光体１１を形成する透明材料はアクリル樹脂、ポリカーボネート樹脂等の透明樹脂、ガラス等の無機透明材料またはそれらの複合体が用いられ、射出成形、光硬化樹脂、エッチング、透明樹脂またはガラス平坂上にフィルムを接合する等の方法によって形成される。
　　　【００１１】
　図３（ａ）に示すように端面１５から入射した光線は導光体１１の長辺方向の軸に対して屈折により４５度以下の光軸を持つため、突起１３の側面に照射されるためには突起１３の幅に対してそれ以上の高さを必要とする。それ以下の場合、図３（ｂ）に示すような経路により光線は照明装置の上面に出光し、大きく視認性を低下させる。しかしー対ーを大きく超えた場合には光学的に無意味であるばかりでなく、製造が困難になるという問題が生じる。以上により、突起１３は幅と高さの比がちょうどー対ー程度であることが望ましい。
　　　【００１２】
　突起１３の幅、高さといった大きさは、可視光の波長がおよそ３８０ｎｍから７００ｎｍ程度であることから、回折による干渉により分光の縞模様が発生しないために５μｍ程度以上は必要であり、また液晶表示体の画素の大きさが２００μｍから３００μｍであることから、この画素との干渉による縞模様の発生を防ぐために１００μｍ以下にすべきである。以上の内容に加え、製造上の利便性から突起１３の大きさはおよそ１０μｍ以上５０μｍ以下が望ましい。
　　　【００１３】
　導光体１１上の突起１３の密度を加減することにより、照射輝度の均一性を高めることができる。実際には光源１２の近傍では突起１３を疎に配置し、離れるに従い連続的に密に配置していく。この場合、突起１３の大きさを一定にして密度を可変する方法、密度を一定にして大きさを可変する方法、両方を可変する方法等が取られる。
　　　【００１４】
　他の実施例を図４（ａ）に示す。突起１３を角柱状に形成した場合もリブと同等の効果が得られる。突起１３の光源１２と垂直をなす側面は光線が臨界角以上で照射されるため、全反射され出光にはいっさい関係しない。図４（ｂ）に示すように概長方形の導光板１１上に正方形の底面を持った角柱を形成した場合、隣合う二辺に光源１２を配置し、二辺から入射した光線を突起１３の各側面から出光させることができる。
　　　【００１５】
　他の実施例として突起１３を円柱状に形成した場合を図５（ａ）に示す。突起１３の円柱面に臨界角以下で照射された光線は出光し、臨界角以上で照射された光線は円柱面で反射を繰り返したのち、突起１３の底面で反転し、さらに円柱面で反射を繰り返して、再び導光板内を進行する経路をたどる。円柱面から出光した光線は図５（ｃ）に示す角柱のときの場合に比べ図５（ｂ）に示すように照射範囲を広くすることができる。
　　　【００１６】
　　【発明の効果】
　本発明によると、以上説明したように、携帯用電算機端末のような用途において、省電力のため明るいところでは照明を消して使用しても表示品質を落とさず、点灯時でもコントラストの高い液晶表示装置を提供することができる。
【図面の簡単な説明】
　　【図１】
　本発明のー実施例を示す断面図。
　　【図２】
　本発明の他の実施例を示す図。
　　【図３】
　本発明の他の実施例を示す図。
　　【図４】
　本発明の他の実施例を示す図。
　　【図５】
　本発明の他の実施概を示す図。
　　【図６】
　従来の技術を示す図。
　　【符号の説明】
　　　　　１　　照明装置
　　　　　２　　液晶表示体
　　　　　３　　反射板
　　　　　１１　　導光体
　　　　　１２　　光源
　　　　　１３　　突起
　　　　　１４　　出光側面
　　　　　１５　　端面
　　　　　１６　　光線